(57)【要約】【課題】徘徊老人が室外へ出たことを検知して警報音により報知する換気装置において、建物内の各部屋に設置が義務付けられている換気扇を利用して報知することを目的とする。【解決手段】風量を測定する風量測定手段７と、前記風量測定手段７により測定した風量の所定時間ごとの風量の風量差を演算し、風量差があれば風量が変化したことを検知する風量変化検知手段８と、風量を設定し、かつ設定状態を記憶し風量の設定が変更されたかどうかを判別する風量設定操作部５と報知手段９を備え、前記風量変化検知手段８が風量の変化を検知した時に、風量の設定が変更されていなければ人が室外へ出たこととして室内あるいは室外へ前記報知手段９により報知し、風量の設定が変更されていれば、人が室外へ出ていないこととして室内あるいは室外へ前記報知手段９により報知しない換気装置３を得られる。【選択図】図１
2005284510.tif 000002
【特許請求の範囲】
【請求項１】
風量を測定する風量測定手段と、前記風量測定手段により測定した風量の所定時間ごとの風量の風量差を演算し、風量差があれば風量が変化したことを検知する風量変化検知手段と、風量を段階あるいは無段階に設定し、かつ設定状態を記憶し風量の設定が変更されたかどうかを判別する風量設定手段と報知手段を備え、前記風量変化検知手段が風量の変化を検知した時に、前記風量設定手段により風量の設定が変更されているかを判別して、風量の設定が変更されていなければ人が室外へ出たこととして室内あるいは室外へ前記報知手段により報知し、風量の設定が変更されていれば、人が室外へ出ていないこととして室内あるいは室外へ前記報知手段により報知しないことを特徴とする換気装置。
【請求項２】
風量の基準風量差を設定する基準風量差設定手段を備え、基準風量差と風量変化検知手段により演算した風量差とを比較して、風量差の方が大きければ人が室外へ出たこととして報知し、風量差の方が小さければ人が室外へ出ていないこととして報知しないことを特徴とする請求項１記載の換気装置。
【請求項３】
モータ回転数を測定するモータ回転数測定手段と、前記モータ回転数測定手段により測定したモータ回転数の所定時間ごとのモータ回転数のモータ回転数差を演算し、モータ回転数差があればモータ回転数が変化したことを検知するモータ回転数変化検知手段と、風量を段階あるいは無段階に設定し、かつ設定状態を記憶し風量の設定が変更されたかどうかを判別する風量設定手段と報知手段を備え、前記モータ回転数変化検知手段がモータ回転数の変化を検知した時に、前記風量設定手段により風量の設定が変更されているかを判別して、風量の設定が変更されていなければ人が室外へ出たこととして室内あるいは室外へ前記報知手段により報知し、風量の設定が変更されていれば、人が室外へ出ていないこととして室内あるいは室外へ前記報知手段により報知しないことを特徴とする換気装置。
【請求項４】
モータ回転数の基準モータ回転数差を設定する基準モータ回転数差設定手段を備え、基準モータ回転数差とモータ回転数変化検知手段により演算したモータ回転数差とを比較して、モータ回転数差の方が大きければ人が室外へ出たこととして報知し、モータ回転数差の方が小さければ人が室外へ出ていないこととして報知しないことを特徴とする請求項３記載の換気装置。
【請求項５】
室内圧力を測定する室内圧力測定手段と、前記室内圧力測定手段により測定した室内圧力の所定時間ごとの室内圧力の室内圧力差を演算し、室内圧力差があれば室内圧力が変化したことを検知する室内圧力変化検知手段と、風量を段階あるいは無段階に設定し、かつ設定状態を記憶し風量の設定が変更されたかどうかを判別する風量設定手段と報知手段を備え、前記室内圧力変化検知手段が室内圧力の変化を検知した時に、前記風量設定手段により風量の設定が変更されているかを判別して、風量の設定が変更されていなければ人が室外へ出たこととして室内あるいは室外へ前記報知手段により報知し、風量の設定が変更されていれば、人が室外へ出ていないこととして室内あるいは室外へ報知しないことを特徴とする換気装置。
【請求項６】
室内圧力の基準室内圧力差を設定する基準室内圧力差設定手段を備え、基準室内圧力差と室内圧力変化検知手段により演算した室内圧力差とを比較して、室内圧力差の方が大きければ人が室外へ出たこととして報知し、室内圧力差の方が小さければ人が室外へ出ていないこととして報知しないことを特徴とする請求項５記載の換気装置。
【請求項７】
人が室外へ出たことを検知するかしないかを選択する検知選択手段を備えたことを特徴とする請求項１、２、３、４、５、６記載の換気装置。
【請求項８】
人が室外へ出たことを検知する検知信号および風量、モータ回転数、室内圧力を入力および外部に出力するための外部出力手段とを備えたことを特徴とする請求項１、２、３、４、５、６、７記載の換気装置。
【発明の詳細な説明】
【技術分野】
【０００１】
本発明は、換気装置の運転時の風量、モータ回転数および室内圧力を利用して、徘徊老人が室外へ出たかどうかを検知し、同居人に対して警報音等により報知する報知手段を備えた換気装置に関する。
【背景技術】
【０００２】
近年、高齢者化社会の影響も深刻化し、無意識に室外へ出てしまう徘徊老人などが問題となり、特に夜間就寝時においては安全性の面からも同居人にとっては徘徊したことを知り対処したいという要望があるのと同時に、専用の装置を用いることなく容易で安価に実現したいとの観点から、室内に設置義務のある換気扇を利用して室外へ出たことを検知して報知する機能を備えた換気装置が求められている。
【０００３】
この種の徘徊老人を検知する装置には、絶縁チューブの内面に第１および第２の電極を設けこれを部屋の出入り口に床に敷いておき、徘徊老人が部屋から脱出する際にこの絶縁チューブを踏みつけると互いの電極が接触して導通状態となることで、この信号を利用して警報を発するものが知られている（例えば、実用新案文献１参照）。
【０００４】
以下、その送受信装置について図１６を参照しながら説明する。
【０００５】
図に示すように、一端が送信部１０１と送信回路１０２で構成され、内面が第１の電極１０３と第２の電極１０４からなる絶縁チューブ１０５を備え、徘徊老人が脱出する際、絶縁チューブ１０５を踏めば第1の電極１０３と第２の電極１０４が接触して導通状態となり、送信部１０１の送信回路１０２にて検出しこの信号を受信回路１０６にて受信し、部屋から脱出したこととして検知しブザーを鳴動させるものである。
【特許文献１】実開平０７−０１３０９５号公報
【発明の開示】
【発明が解決しようとする課題】
【０００６】
このような従来の送受信装置では、人が部屋から脱出したかどうかを検知して報知するために、専用の装置を必要な扉ごとに設置しなければならず、設置場所の問題や高価になるという課題がある。
【０００７】
本発明は、このような従来の課題を解決するものであり、特別な専用装置を用いることなく建物内の各部屋に設置が義務付けられている換気扇を利用するものであり、風量またはモータ回転数または室内圧力を測定するセンサを設け、このセンサにより測定した風量またはモータ回転数または室内圧力の変化を利用して、風量の変化が扉を開閉したことによるものか、あるいは居住者が風量設定を変更したことによるものかを判別して、扉を開閉したことによるものであれば、人が室外へ出たこととして報知し、居住者が風量設定を変更したことによるものであれば、人が室外へ出ていないこととして報知しない換気装置を提供することを目的としている。
【０００８】
また、部屋の広さや気密度によっては換気扇の風量設定を変更しなくとも風量が変化する。この場合においても検知手段が、人が室外へ出たこととして間違って検知して報知するという課題があり、風量が変化した時に、この風量差と基準風量差とを比較して、風量差の方が大きければ人が室外へ出たこととして報知し、風量差の方が小さければ人が室外へ出ていないこととして報知しないことが要求されている。
【０００９】
本発明は、このような従来の課題を解決するものであり、風量が変化した時に、この風量差と基準風量差とを比較して、風量差の方が大きければ人が室外へ出たこととして報知し、風量差の方が小さければ人が室外へ出ていないこととして報知しない換気装置を提供することを目的としている。
【００１０】
また、部屋の広さや気密度によっては換気扇の風量設定を変更しなくともモータ回転数が変化する。この場合においても検知手段が、人が室外へ出たこととして間違って検知して報知するという課題があり、モータ回転数が変化した時にこのモータ回転数差と基準モータ回転数差とを比較して、モータ回転数差の方が大きければ人が室外へ出たこととして報知し、モータ回転数差の方が小さければ人が室外へ出ていないこととして報知しないことが要求されている。
【００１１】
本発明は、このような従来の課題を解決するものであり、モータ回転数が変化した時に、このモータ回転数差と基準モータ回転数差とを比較して、モータ回転数差の方が大きければ人が室外へ出たこととして報知し、モータ回転数差の方が小さければ人が室外へ出ていないこととして報知しない換気装置を提供することを目的としている。
【００１２】
また、部屋の広さや気密度によっては換気扇の風量設定を変更しなくとも室内圧力が変化する。この場合においても検知手段が、人が室外へ出たこととして間違って検知して報知するという課題があり、室内圧力が変化した時にこの室内圧力差と基準室内圧力差とを比較して、室内圧力差の方が大きければ人が室外へ出たこととして報知し、室内圧力差の方が小さければ人が室外へ出ていないこととして報知しないことが要求されている。
【００１３】
本発明は、このような従来の課題を解決するものであり、室内圧力が変化した時に、この室内圧力差と基準室内圧力差とを比較して、室内圧力差の方が大きければ人が室外へ出たこととして報知し、室内圧力差の方が小さければ人が室外へ出ていないこととして報知しない換気装置を提供することを目的としている。
【００１４】
また、居住者が外出する場合など、換気装置は運転させたいが不在であるため、人が室外へ出たことを検知する必要がない時にはこの機能を解除し、可能な限り省エネで運転させたいという課題があり、居住者が在宅時には扉を開閉したことにより、居住者が外出する場合など、換気装置は運転させるもののあえて室外へ出たことを検知する必要がない時には風量、モータ回転数あるいは室内圧力の変化を検知および報知するかしないかを選択できることが要求されている。
【００１５】
本発明は、このような従来の課題を解決するものであり、居住者が在宅時には扉を開閉したことにより、居住者が外出する場合など、換気装置は運転させさせたいが不在であるため、人が室外へ出たことを検知する必要がない時には風量、モータ回転数あるいは室内圧力の変化を検知および報知するかしないかを必要に応じて選択できる換気装置を提供することを目的としている。
【００１６】
また、風量、モータ回転数、室内圧力や人が室外へ出たことを検知した信号を外部へ出力したいという課題があり、風量、モータ回転数、室内圧力や人が室外へ出たことを検知した信号を外部に出力できることが要求されている。
【００１７】
本発明は、このような従来の課題を解決するものであり、風量、モータ回転数、室内圧力や人が室外へ出たことを検知する信号および風量、モータ回転数、室内圧力を入力および外部に出力できる換気装置を提供することを目的としている。
【課題を解決するための手段】
【００１８】
本発明の換気装置は上記目的を達成するために、 風量を測定する風量測定手段と、前記風量測定手段により測定した風量の所定時間ごとの風量の風量差を演算し、風量差があれば風量が変化したことを検知する風量変化検知手段と、風量を段階あるいは無段階に設定できる風量設定手段と、前記風量変化検知手段が風量の変化を検知した時に、前記風量設定手段により風量の設定が変更されているかを判別して、風量の設定が変更されていなければ室内あるいは室外へ報知する報知手段とを備え、前記風量変化検知手段が風量の変化を検知した時に、風量の設定が変更されていなければ人が室外へ出たこととして室内あるいは室外へ報知し、風量の設定が変更されていれば、人が室外へ出ていないこととして室内あるいは室外へ報知しない構成としたものである。
【００１９】
これにより建物内の各部屋に設置が義務付けられている換気装置の換気特性の一つである風量を利用して、風量の変化が扉を開閉したことによるものか、あるいは居住者が風量設定を変更したことによるものかを判別して、扉を開閉したことによるものであれば、室外へ出たこととして報知し、居住者が風量設定を変更したことによるものであれば室外へ出ていないことと検知して報知しない換気装置が得られる。
【００２０】
また、他の手段は、風量の基準風量差を設定する基準風量差設定手段を備え、基準風量差と風量変化検知手段により演算した風量差とを比較して、風量差の方が大きければ人が室外へ出たこととして報知し、風量差の方が小さければ人が室外へ出ていないこととして報知しない構成としたものである。
【００２１】
これにより、風量が変化した時に、この風量差と基準風量差とを比較して、風量差の方が大きければ人が室外へ出たこととして報知し、風量差の方が小さければ人が室外へ出ていないこととして報知しない換気装置が得られる。
【００２２】
また、他の手段は、モータ回転数を測定するモータ回転数測定手段と、前記モータ回転数測定手段により測定したモータ回転数の所定時間ごとのモータ回転数のモータ回転数差を演算し、モータ回転数差があればモータ回転数が変化したことを検知するモータ回転数変化検知手段と、風量を段階あるいは無段階に設定し、かつ設定状態を記憶し風量の設定が変更されたかどうかを判別する風量設定手段と報知手段を備え、前記モータ回転数変化検知手段がモータ回転数の変化を検知した時に、前記風量設定手段により風量の設定が変更されているかを判別して、風量の設定が変更されていなければ人が室外へ出たこととして室内あるいは室外へ前記報知手段により報知し、風量の設定が変更されていれば、人が室外へ出ていないこととして室内あるいは室外へ前記報知手段により報知しない構成としたものである。
【００２３】
これにより、建物内の各部屋に設置が義務付けられている換気装置の換気特性の一つであるモータ回転数を利用して、モータ回転数の変化が扉を開閉したことによるものか、あるいは居住者が風量設定を変更したことによるものかを判別して、扉を開閉したことによるものであれば、室外へ出たこととして報知し、居住者が風量設定を変更したことによるものであれば、室外へ出ていないこととして報知しない換気装置が得られる。
【００２４】
また、他の手段は、モータ回転数の基準モータ回転数差を設定する基準モータ回転数差設定手段を備え、基準モータ回転数差とモータ回転数変化検知手段により演算したモータ回転数差とを比較して、モータ回転数差の方が大きければ人が室外へ出たこととして報知し、モータ回転数差の方が小さければ人が室外へ出ていないこととして報知しない構成としたものである。
【００２５】
これにより、モータ回転数が変化した時に、このモータ回転数差と基準モータ回転数差とを比較して、モータ回転数差の方が大きければ人が室外へ出たこととして報知し、モータ回転数差の方が小さければ人が室外へ出ていないこととして報知しない換気装置が得られる。
【００２６】
また、他の手段は、室内圧力を測定する室内圧力測定手段と、前記室内圧力測定手段により測定した室内圧力の所定時間ごとの室内圧力の室内圧力差を演算し、室内圧力差があれば室内圧力が変化したことを検知する室内圧力変化検知手段と、風量を段階あるいは無段階に設定し、かつ設定状態を記憶し風量の設定が変更されたかどうかを判別する風量設定手段と報知手段を備え、前記室内圧力変化検知手段が室内圧力の変化を検知した時に、前記風量設定手段により風量の設定が変更されているかを判別して、風量の設定が変更されていなければ人が室外へ出たこととして室内あるいは室外へ前記報知手段により報知し、風量の設定が変更されていれば、人が室外へ出ていないこととして室内あるいは室外へ報知しない構成としたものである。
【００２７】
これにより、建物内の各部屋に設置が義務付けられている換気装置の換気特性の一つである室内圧力を利用して、室内圧力の変化が扉を開閉したことによるものか、あるいは居住者が風量設定を変更したことによるものかを判別して、扉を開閉したことによるものであれば、室外へ出たこととして報知し、居住者が風量設定を変更したことによるものであれば、室外へ出ていないこととして報知しない換気装置が得られる。
【００２８】
また、他の手段は、室内圧力の基準室内圧力差を設定する基準室内圧力差設定手段を備え、基準室内圧力差と室内圧力変化検知手段により演算した室内圧力差とを比較して、室内圧力差の方が大きければ人が室外へ出たこととして報知し、室内圧力差の方が小さければ人が室外へ出ていないこととして報知しない構成としたものである。
【００２９】
これにより、室内圧力が変化した時に、この室内圧力差と基準室内圧力差とを比較して、室内圧力差の方が大きければ人が室外へ出たこととして報知し、室内圧力差の方が小さければ人が室外へ出ていないこととして報知しない換気装置が得られる。
【００３０】
また、他の手段は、人が室外へ出たことを検知するかしないかを選択する検知選択手段を備えた構成としたものである。
【００３１】
これにより、居住者が在宅時には扉を開閉したことにより、居住者が外出する場合など、換気装置は運転させたいが不在であるために、人が室外へ出たことを検知する必要がない時には風量、モータ回転数あるいは室内圧力の変化を検知および報知するかしないかを必要に応じて選択できる換気装置が得られる。
【００３２】
また、他の手段は、人が室外へ出たことを検知する検知信号および風量、モータ回転数、室内圧力を入力および外部に出力するための外部出力手段とを備えた構成としたものである。
【００３３】
これにより、風量、モータ回転数、室内圧力や人が室外へ出たことを検知する信号および風量、モータ回転数、室内圧力を入力および外部に出力できる換気装置が得られる。
【発明の効果】
【００３４】
本発明によれば建物内の各部屋に設置が義務付けられている換気装置の換気特性の一つである風量を利用して、風量の変化が扉を開閉したことによるものか、あるいは居住者が風量設定を変更したことによるものかを判別して、扉を開閉したことによるものであれば、室外へ出たことと検知して報知し、居住者が風量設定を変更したことによるものであれば、室外へ出ていないことと検知して報知しないという効果のある換気装置を提供できる。
【００３５】
また、風量が変化した時に、この風量差と基準風量差とを比較して、風量差の方が大きければ人が室外へ出たこととして報知し、風量差の方が小さければ人が室外へ出ていないこととして報知しないという効果のある換気装置を提供できる。
【００３６】
また、建物内の各部屋に設置が義務付けられている換気装置の換気特性の一つであるモータ回転数を利用して、モータ回転数の変化が扉を開閉したことによるものか、あるいは居住者が風量設定を変更したことによるものかを判別して、扉を開閉したことによるものであれば、室外へ出たこととして報知し、居住者が風量設定を変更したことによるものであれば、室外へ出ていないこととして報知しないという効果のある換気装置を提供できる。
【００３７】
また、モータ回転数が変化した時に、このモータ回転数差と基準モータ回転数差とを比較して、モータ回転数差の方が大きければ人が室外へ出たこととして報知し、モータ回転数差の方が小さければ人が室外へ出ていないこととして報知しないという効果のある換気装置を提供できる。
【００３８】
また、建物内の各部屋に設置が義務付けられている換気装置の換気特性の一つである室内圧力を利用して、室内圧力の変化が扉を開閉したことによるものか、あるいは居住者が風量設定を変更したことによるものかを判別して、扉を開閉したことによるものであれば、室外へ出たこととして報知し、居住者が風量設定を変更したことによるものであれば、室外へ出ていないこととして報知しないという効果のある換気装置を提供できる。
【００３９】
また、室内圧力が変化した時に、この室内圧力差と基準室内圧力差とを比較して、室内圧力差の方が大きければ人が室外へ出たこととして報知し、室内圧力差の方が小さければ人が室外へ出ていないこととして報知しないという効果のある換気装置を提供できる。
【００４０】
また、居住者が在宅時には扉を開閉したことにより、居住者が外出する場合など、換気装置は運転させるもののあえて室外へ出たことを検知する必要がない時には風量、モータ回転数あるいは室内圧力の変化を検知および報知するかしないかを必要に応じて選択できるという効果のある換気装置を提供できる。
【００４１】
また、風量、モータ回転数、室内圧力や人が室外へ出たことを検知する信号および風量、モータ回転数、室内圧力を入力および外部に出力できるという効果のある換気装置を提供できる。
【発明を実施するための最良の形態】
【００４２】
本発明の請求項１記載の発明は、風量を測定する風量測定手段と、前記風量測定手段により測定した風量の所定時間ごとの風量の風量差を演算し、風量差があれば風量が変化したことを検知する風量変化検知手段と、風量を段階あるいは無段階に設定し、かつ設定状態を記憶し風量の設定が変更されたかどうかを判別する風量設定手段と報知手段を備え、前記風量変化検知手段が風量の変化を検知した時に、前記風量設定手段により風量の設定が変更されているかを判別して、風量の設定が変更されていなければ人が室外へ出たこととして室内あるいは室外へ前記報知手段により報知し、風量の設定が変更されていれば、人が室外へ出ていないこととして室内あるいは室外へ前記報知手段により報知しないものであり、建物内の各部屋に設置が義務付けられている換気装置の換気特性の一つである風量を利用して、風量の変化が扉を開閉したことによるものか、あるいは居住者が風量設定を変更したことによるものかを判別して、扉を開閉したことによるものであれば、室外へ出たことと検知して報知し、居住者が風量設定を変更したことによるものであれば、室外へ出ていないことと検知して報知しないという作用を有する。
【００４３】
また、風量の基準風量差を設定する基準風量差設定手段を備え、基準風量差と風量変化検知手段により演算した風量差とを比較して、風量差の方が大きければ人が室外へ出たこととして報知し、風量差の方が小さければ人が室外へ出ていないこととして報知しないものであり、風量が変化した時に、この風量差と基準風量差とを比較して、風量差の方が大きければ人が室外へ出たこととして報知し、風量差の方が小さければ人が室外へ出ていないこととして報知しないという作用を有する。
【００４４】
また、モータ回転数を測定するモータ回転数測定手段と、前記モータ回転数測定手段により測定したモータ回転数の所定時間ごとのモータ回転数のモータ回転数差を演算し、モータ回転数差があればモータ回転数が変化したことを検知するモータ回転数変化検知手段と、風量を段階あるいは無段階に設定し、かつ設定状態を記憶し風量の設定が変更されたかどうかを判別する風量設定手段と報知手段を備え、前記モータ回転数変化検知手段がモータ回転数の変化を検知した時に、前記風量設定手段により風量の設定が変更されているかを判別して、風量の設定が変更されていなければ人が室外へ出たこととして室内あるいは室外へ前記報知手段により報知し、風量の設定が変更されていれば、人が室外へ出ていないこととして室内あるいは室外へ前記報知手段により報知しないものであり、建物内の各部屋に設置が義務付けられている換気装置の換気特性の一つであるモータ回転数を利用して、モータ回転数の変化が扉を開閉したことによるものか、あるいは居住者が風量設定を変更したことによるものかを判別して、扉を開閉したことによるものであれば、室外へ出たこととして報知し、居住者が風量設定を変更したことによるものであれば、室外へ出ていないこととして報知しないという作用を有する。
【００４５】
また、他の手段は、モータ回転数の基準モータ回転数差を設定する基準モータ回転数差設定手段を備え、基準モータ回転数差とモータ回転数変化検知手段により演算したモータ回転数差とを比較して、モータ回転数差の方が大きければ人が室外へ出たこととして報知し、モータ回転数差の方が小さければ人が室外へ出ていないこととして報知しないものであり、モータ回転数が変化した時に、このモータ回転数差と基準モータ回転数差とを比較して、モータ回転数差の方が大きければ人が室外へ出たこととして報知し、モータ回転数差の方が小さければ人が室外へ出ていないこととして報知しないという作用を有する。
【００４６】
また、室内圧力を測定する室内圧力測定手段と、前記室内圧力測定手段により測定した室内圧力の所定時間ごとの室内圧力の室内圧力差を演算し、室内圧力差があれば室内圧力が変化したことを検知する室内圧力変化検知手段と、風量を段階あるいは無段階に設定し、かつ設定状態を記憶し風量の設定が変更されたかどうかを判別する風量設定手段と報知手段を備え、前記室内圧力変化検知手段が室内圧力の変化を検知した時に、前記風量設定手段により風量の設定が変更されているかを判別して、風量の設定が変更されていなければ人が室外へ出たこととして室内あるいは室外へ前記報知手段により報知し、風量の設定が変更されていれば、人が室外へ出ていないこととして室内あるいは室外へ報知しないものであり、建物内の各部屋に設置が義務付けられている換気装置の換気特性の一つである室内圧力を利用して、室内圧力の変化が扉を開閉したことによるものか、あるいは居住者が風量設定を変更したことによるものかを判別して、扉を開閉したことによるものであれば、室外へ出たこととして報知し、居住者が風量設定を変更したことによるものであれば、室外へ出ていないこととして報知しないという作用を有する。
【００４７】
また、室内圧力の基準室内圧力差を設定する基準室内圧力差設定手段を備え、基準室内圧力差と室内圧力変化検知手段により演算した室内圧力差とを比較して、室内圧力差の方が大きければ人が室外へ出たこととして報知し、室内圧力差の方が小さければ人が室外へ出ていないこととして報知しないものであり、室内圧力が変化した時に、この室内圧力差と基準室内圧力差とを比較して、室内圧力差の方が大きければ人が室外へ出たこととして報知し、室内圧力差の方が小さければ人が室外へ出ていないこととして報知しないという作用を有する。
【００４８】
また、人が室外へ出たことを検知するかしないかを選択する検知選択手段を備えたものであり、居住者が在宅時には扉を開閉したことにより、居住者が外出する場合など、換気装置は運転させるもののあえて室外へ出たことを検知する必要がない時には風量、モータ回転数あるいは室内圧力の変化を検知および報知するかしないかを必要に応じて選択できるという作用を有する。
【００４９】
また、人が室外へ出たことを検知する検知信号および風量、モータ回転数、室内圧力を入力および外部に出力するための外部出力手段とを備えたものであり、風量、モータ回転数、室内圧力や人が室外へ出たことを検知する信号および風量、モータ回転数、室内圧力を入力および外部に出力できるという作用を有する。
【００５０】
以下、本発明の実施の形態について図面を参照しながら説明する。
【００５１】
（実施の形態１）
図１に示すように、天井１にダクト２を介して設置された換気装置３は、室内の空気を取り入れ口となるルーバー４と、風量を「強」、「中」、「弱」、「切」といった段階的に切替える風量設定と、さらにこの風量設定を入力および記憶して所定時間ごとに風量設定が変更されたかどうかを判別する風量設定操作部５と、回転することで空気を排出するファンモータ６と、風量を測定する風量測定手段７と、この風量測定手段７により測定した風量を所定時間ごとに入力して、その入力された前後の風量の風量差を演算して風量に差があれば風量が変化したことを検知する風量変化検知手段８と、風量変化検知手段８が風量の変化を検知した時に、風量設定操作部５により風量の設定が変更されていなければ、人が室外へ出たこととして室内あるいは室外へ報知し、風量設定操作部５により風量の設定が変更されていれば、人が室外へ出ていないこととして室内あるいは室外へ報知しない報知手段９による構成とする。
【００５２】
上記構成において、就寝時は扉を閉めた状態にしておき、換気装置３を作動させておくと、ファンモータ６が回転することでルーバ４から室内の空気を吸い込み、ダクト２を通じて外部へ排出する。部屋には人の出入りがなく、扉は閉められた状態であるものの、空気は室内へ扉の隙間等から流入して一定の風量にて動作することとなる。そして、風量測定手段７、例えば風速計による風速値と排気口の断面積から算出、により風量を測定する。この状態において、徘徊する老人が扉を開けると開口部が増えることで、空気が室内へ流入して換気装置の風量が増加する。風量変化検知手段８は風量測定手段７により測定している値を所定時間ごとに風量を入力して、この前後の風量差を演算する。従って、扉を開ける前後で風量が変化するので風量差を演算できることとなる。さらに、風量変化検知手段８は風量設定操作部５で設定された風量設定を入力および記憶して所定時間ごとに風量設定が変更されたかどうかを判別する。そして、風量変化検知手段８により所定時間ごとに風量を入力して、この前後の風量差を演算した結果、風量差がなければ風量が変化していないものとして、再び所定時間後に風量を入力し記憶して所定時間ごとに風量設定が変更されたかどうかを判別するという同様の動作を繰り返す。一方、風量変化検知手段８により所定時間ごとに風量を入力して、この前後の風量差を演算した結果、風量差があれば、風量に変化が生じたことを検知し、かつ風量設定操作部５により風量設定が変更されていないことを検知すれば、人が室外へ出たこととし、これを報知信号として入力し報知手段９、例えば、ブザー、あかりにより呼動、あるいは点灯させて、同居人に対して知らせることとなる。さらに、同居人が風量設定操作部５を例えば「中」から「強」に変更した場合は、扉を開けなくとも、ファンモータ６の回転数が上昇することにより風量を増加させることとなる。風量変化検知手段８により風量差があることを検知するものの、風量設定操作部５が変更されていることを検知し報知手段９へは伝達しない、つまり人が室外へ出ていないこととして、報知手段９、例えば、ブザー、あかりを呼動、あるいは点灯させないようにする。
【００５３】
次に、上図のように構成した換気装置３の動作について図２を参照しながら説明する。
まず、起動してからステップ３１で待機時間「Ｔ１」経過後、つまり風量が一定になった後、ステップ３２で風量設定「Ｓ１」、ステップ３３で風量「Ｑ１」を入力する。その後、ステップ３４で所定時間「Ｔ２」経過後、ステップ３５で風量設定「Ｓ２」を入力し、ステップ３６で風量「Ｑ２」を入力する。そして、ステップ３７で風量設定「Ｓ１」と「Ｓ２」とを比較し風量設定が変更されたかどうかを判別する。風量設定が異なればステップ３８で風量設定「Ｓ１」を「Ｓ２」として現時点での風量設定を更新しステップ３４に戻り同じ動作を繰り返す。一方、風量設定が同じであればステップ３９で風量「Ｑ１」と「Ｑ２」との風量差の絶対値｜Ｑ１−Ｑ２｜を演算して、結果が０であれば、つまり同じ風量であれば、ステップ４０で風量「Ｑ１」を「Ｑ２」として現時点での風量を更新しステップ３４に戻り同じ動作を繰り返す。さらに、結果が０でなければ、つまり風量変化を検知しかつ風量設定を変更していなければ人が室外へ出たこととしてステップ４１で警報音を呼動させる。
【００５４】
以上のように、建物内の各部屋に設置が義務付けられている換気扇に風量を測定するセンサを設け、このセンサにより測定した風量の変化を利用して、風量の変化が扉を開閉したことによるものか、あるいは風量設定件を変更したことによるものかを判別して、扉を開閉したことによるものであれば人が室外へ出たこととして報知し、風量設定を変更したことによるものであれば人が室外へ出ていないこととして報知しないこととする。
【００５５】
なお、本実施の形態１において、室内の空気を排気するファンモータとしたが、室外の空気を給気するファンモータでも同様の効果を有する。
【００５６】
また、本実施の形態１において、風量設定操作部は段階に切替えるものとしたが、無段階に切替えるものであってもよい。
【００５７】
（実施の形態２）
図３に示すように、天井１にダクト２を介して設置された換気装置３ａは、室内の条件あるいは長期間使用による経年変化により風量が変化するために、風量設定操作部５ａの内部に、基準風量差を設定する基準風量差設定手段１０を備え、基準風量差設定手段１０により基準風量差を設定する。基準風量差については例えば洋室８畳の場合、一般的に部屋の広さや気密度あるいは経年変化による劣化を考慮しても同一風量設定であれば風量が変化する範囲は動作風量の±４％以下であるため、基準風量差は風量の８％に設定するとよい。そして設定した基準風量差と風量変化検知手段８により演算した風量差とを比較して演算した風量差の方が大きければ、部屋の広さや気密度あるいは経年変化による劣化により風量が変化したものではなく、人が室外へ出たこととして検知し報知手段９、例えば警報音により報知し、演算した風量差の方が小さければ部屋の広さや気密度あるいは経年変化による劣化により風量が変化したものとして検知し、人が室外へ出ていないこととして報知しない構成とする。
【００５８】
なお、風量変化検知手段８により風量の変化を検知するまでの動作は実施の形態１と同様のため、詳細な説明は省略する。
【００５９】
次に、上図のように構成した換気装置３ａの動作について図４を参照しながら説明する。
【００６０】
まず、起動してからステップ３１で待機時間「Ｔ１」経過後、つまり風量が一定になった後、ステップ４５で基準風量差「Ｑｃ」を設定する。そしてステップ３２で風量設定「Ｓ１」、ステップ３３で風量「Ｑ１」を入力する。その後、ステップ３４で所定時間「Ｔ２」経過後、ステップ３５で風量設定「Ｓ２」を入力し、ステップ３６で風量「Ｑ２」を入力する。そして、ステップ３７で風量設定「Ｓ１」と「Ｓ２」とを比較し風量設定が変更されたかどうかを判別する。風量設定が異なればステップ３８で風量設定「Ｓ１」を「Ｓ２」として現時点での風量設定を更新しステップ３４に戻り同じ動作を繰り返す。風量設定が同じであればステップ３９で風量「Ｑ１」と「Ｑ２」との風量差の絶対値｜Ｑ１−Ｑ２｜を演算して、結果が０であれば、つまり同じ風量であれば、ステップ４０で風量「Ｑ１」を「Ｑ２」として現時点での風量を更新しステップ３４に戻り同じ動作を繰り返す。結果が０でなければ、ステップ４６で基準風量差「Ｑｃ」と風量差の絶対値｜Ｑ１−Ｑ２｜とを比較して、風量差の方が基準風量差よりも小さければステップ３４に戻り同じ動作を繰り返す。一方、風量差の方が基準風量差よりも大きければステップ４１で報知信号により報知する。
【００６１】
以上のように、風量が変化しても、風量差の方が基準風量差よりもが大きく、かつ風量設定が変更されていなけれ人が室外へ出たこととして報知し、風量差の方が小さければ人が室外へ出ていない、つまりは部屋の広さや気密度あるいは経年変化による劣化により風量が変化したこととして報知しないこととする。
【００６２】
なお、本実施の形態２において、風量設定操作部の内部に基準風量差設定手段を設けた構成としたが、外部に設けてもよい。
【００６３】
また、本実施の形態２において、室内の空気を排気するファンモータとしたが、室外の空気を給気するファンモータでも同様の効果を有する。
【００６４】
また、本実施の形態２において、風量設定操作部は段階に切替えるものとしたが、無段階に切替えるものであってもよい。
【００６５】
（実施の形態３）
図５に示すように、天井１にダクト２を介して設置された換気装置３ｂは、室内の空気を取り入れ口となるルーバー４と、風量を「強」、「中」、「弱」、「切」といった段階的に切替える風量設定と、さらにこの風量設定を入力および記憶して所定時間ごとに風量設定が変更されたかどうかを判別する風量設定操作部５ｂと、回転することで空気を排出するファンモータ６と、ファンモータの回転数を測定するモータ回転数測定手段１１と、このモータ回転数測定手段１１により測定したファンモータ回転数を所定時間ごとに入力して、その入力された前後のファンモータの回転数差を演算して差があれば回転数が変化したことを検知するモータ回転数変化検知手段１２と、モータ回転数変化検知手段１２がファンモータ回転数の変化を検知した時に、風量設定操作部５ｂにより風量の設定が変更されていなければ、人が室内へ侵入したこととして室内あるいは室外へ報知し、風量設定操作部５ｂにより風量の設定が変更されていれば、人が室内へ出ていないこととして室内あるいは室外へ報知しない構成とする。
【００６６】
上記構成において、就寝時は扉を閉めた状態にしておき、換気装置３ｂを作動させておくと、ファンモータ６が回転することでルーバ４から室内の空気を吸い込み、ダクト２を通じて外部へ排出する。部屋には人の出入りがなく、扉は閉められた状態であるものの、空気は室内へ扉の隙間等から流入して一定風量、即ちファンモータの回転数は一定で動作することとなる。そして、モータ回転数測定手段１１、例えばフォトセンサによりファンモータ回転数を測定する。この状態において、徘徊する老人が扉を開けると開口部が増えることで、空気が流入して換気装置３ｂの風量、即ちファンモータの回転数も増加する。モータ回転数変化検知手段１２はモータ回転数測定手段１１により測定している値を所定時間ごとにファンモータの回転数を入力して、この前後のファンモータ回転数差を演算する。従って、扉を開ける前後でファンモータ回転数が変化するのでモータ回転数差を演算できることとなる。さらに、モータ回転数変化検知算手段１２は風量設定操作部５ｂで設定された風量設定を入力および記憶して所定時間ごとに風量設定が変更されたかどうかを判別する。そしてモータ回転数変化検知手段１２により所定時間ごとにファンモータ回転数を入力して、この前後のファンモータ回転数差を演算した結果、モータ回転数差がなければ、モータ回転数が変化していないものとして、再び所定時間後に風量を入力し記憶して所定時間ごとに風量設定が変更されたかどうかを判別するという同様の動作を繰り返す。一方、モータ回転数変化検知手段１２により所定時間ごとにモータ回転数を入力して、この前後のモータ回転数差を演算した結果、ファンモータ回転数差があれば、ファンモータ回転数に変化が生じたことを検知し、かつモータ回転数変化検知手段１２により風量設定が変更されていないことを検知すれば、人が室外へ出たこととして報知手段９、例えば、ブザー、あかりにより呼動、あるいは点灯させて、同居人に対して知らせることとなる。さらに、同居人が風量設定操作部５ｂを例えば「中」から「強」に変更した場合は、扉を開けなくとも、ファンモータ６の回転数が上昇することとなる。モータ回転数変化検知手段１２によりモータ回転数差があることを検知するものの、風量設定操作部５ｂが変更されていることを検知し報知手段９へは伝達しない、つまり人が室外へ出ていないこととして報知手段９、例えば、ブザー、あかりを呼動、あるいは点灯させないようにする。
【００６７】
次に、上図のように構成した換気装置３ｂの動作について図６を参照しながら説明する。
【００６８】
まず、起動してからステップ３１で待機時間「Ｔ１」経過後、つまりファンモータ回転数が一定になった後、ステップ３２で風量設定「Ｓ１」、ステップ４７でファンモータ回転数「Ｒ１」を入力する。その後、ステップ３４で所定時間「Ｔ２」経過後、ステップ３５で風量設定「Ｓ２」を入力し、ステップ４８でファンモータ回転数「Ｒ２」を入力する。そして、ステップ３７で風量設定「Ｓ１」と「Ｓ２」とを比較し風量設定が変更されたかどうかを判別する。風量設定が異なればステップ３８で風量設定「Ｓ１」を「Ｓ２」として現時点での風量設定を更新しステップ３４に戻り同じ動作を繰り返す。一方、風量設定が同じであればステップ４９でファンモータ回転数「Ｒ１」とファンモータ回転数「Ｒ２」との回転数差の絶対値｜Ｒ１−Ｒ２｜を演算して、結果が０であれば、つまり同じ回転数であれば、ステップ５０でファンモータ回転数「Ｒ１」を「Ｒ２」として現時点でのファンモータ回転数を更新しステップ３４に戻り同じ動作を繰り返す。さらに、結果が０でなければ、つまりファンモータ回転数変化を検知しかつ風量設定を変更していなければ人が室外へ出たこととしてステップ４１で警報音を呼動させる。
【００６９】
以上のように、建物内の各部屋に設置が義務付けられている換気扇にモータ回転数を測定するセンサを設け、このセンサにより測定したモータ回転数の変化を利用して、モータ回転数の変化が扉を開閉したことによるものか、あるいは風量設定を変更したことによるものかを判別して、扉を開閉したことによるものであれば人が室外へ出たこととして報知し、風量設定を変更したことによるものであれば人が室外へ出ていないこととして報知しないこととする。
【００７０】
なお、本実施の形態３において、室内の空気を排気するファンモータとしたが、室外の空気を給気するファンモータでも同様の効果を有する。
【００７１】
また、本実施の形態３において、風量設定操作部は段階に切替えるものとしたが、無段階に切替えるものであっても良い。
【００７２】
（実施の形態４）
図７に示すように、天井１にダクト２を介して設置された換気装置３ｃは、室内の条件あるいは長期間使用による経年変化によりファンモータ回転数が変化するために、風量設定操作部５ｃの内部に、基準モータ回転数差を設定する基準回転数差設定手段１３を備え、基準回転数差設定手段１３により基準回転数差を設定する。基準モータ回転数差については例えば洋室８畳の場合、一般的に部屋の広さや気密度あるいは経年変化による劣化を考慮しても同一風量設定であれば風量変化に伴うモータ回転数変化の範囲は動作回転数の±６％以下であるため、基準モータ回転数差はファンモータ回転数の１２％に設定するとよい。そして設定した基準モータ回転数差とモータ回転数変化検知手段１２により演算したファンモータ回転数差とを比較して演算したファンモータ回転数差の方が大きければ、部屋の広さや気密度あるいは経年変化による劣化によりファンモータの回転数が変化したものではなく、人が室外へ出たこととして報知手段９、例えば警報音により報知し、演算したファンモータ回転数差の方が小さければ、部屋の広さや気密度あるいは経年変化による劣化によりファンモータ回転数が変化したものとして検知し、人が室外へ出ていないこととして報知しない構成とする。
【００７３】
なお、モータ回転数変化検知手段１２によりファンモータ回転数の変化を検知するまでの動作は実施の形態３と同様のため、詳細な説明は省略する。
【００７４】
次に、上図のように構成した換気装置３ｃの動作について図８を参照しながら説明する。
【００７５】
まず、起動してからステップ３１で待機時間「Ｔ１」経過後、つまりファンモータ回転数が一定になった後、ステップ５１で基準モータ回転数差「Ｒｃ」を設定する。そしてステップ４５で風量設定「Ｓ１」、ステップ４７でモータ回転数「Ｒ１」を入力する。その後、ステップ３４で所定時間「Ｔ２」経過後、ステップ３５で風量設定「Ｓ２」を入力し、ステップ４８でモータ回転数「Ｒ２」を入力する。そして、ステップ３７で風量設定「Ｓ１」と「Ｓ２」とを比較し風量設定が変更されたかどうかを判別する。風量設定が異なればステップ３８で風量設定「Ｓ１」を「Ｓ２」として現時点での風量設定を更新しステップ３４に戻り同じ動作を繰り返す。風量設定が同じであればステップ４９でモータ回転数「Ｒ１」と「Ｒ２」との回転差の絶対値｜Ｒ１−Ｒ２｜を演算して、結果が０であれば、つまり同じモータ回転数であれば、ステップ５０でモータ回転数「Ｒ１」を「Ｒ２」として現時点でのモータ回転数を更新しステップ３５に戻り同じ動作を繰り返す。結果が０でなければ、ステップ５２で基準モータ回転数差「Ｒｃ」とモータ回転数差の絶対値｜Ｒ１−Ｒ２｜とを比較して、モータ回転数差の方が基準モータ回転数差よりも小さければステップ３４に戻り同じ動作を繰り返す。一方、モータ回転数差の方が基準モータ回転数差よりも大きければステップ４１で報知信号により報知する。
【００７６】
以上のように、ファンモータ回転数が変化しても、ファンモータ回転数差の方が基準モータ回転数差よりもが大きく、かつ風量設定が変更されていなけれ人が室外へ出たこととして報知し、ファンモータ回転数差の方が小さければ人が室外へ出ていない、つまりは部屋の広さや気密度あるいは経年変化による劣化により風量が変化したこととして報知しないこととする。
【００７７】
なお、本実施の形態４において、風量設定操作部の内部に基準モータ回転数差手段を設けた構成としたが、外部に設けてもよい。
【００７８】
また、本実施の形態４において、室内の空気を排気するファンモータとしたが、室外の空気を給気するファンモータでも同様の効果を有する。
【００７９】
また、本実施の形態４において、風量設定操作部は段階に切替えるものとしたが、無段階に切替えるものであっても良い。
【００８０】
（実施の形態５）
図９に示すように、天井１にダクト２を介して設置された換気装置３ｄは、室内の空気を取り入れ口となるルーバー４と、風量を「強」、「中」、「弱」、「切」といった段階的に切替える風量設定と、さらにこの風量設定を入力および記憶して所定時間ごとに風量設定が変更されたかどうかを判別する風量設定操作部５ｄと、回転することで空気を排出するファンモータ６と、室内圧力を測定する室内圧力測定手段１４と、この室内圧力測定手段１４により測定した室内圧力を所定時間ごとに入力して、その前後の室内圧力の変化量を演算し、さらに風量設定操作部５ｄで設定された運転条件を入力して、その入力された前後の室内圧力の圧力差を演算して圧力差があれば室内圧力が変化したことを検知する室内圧力変化検知手段１５と、室内圧力変化検知手段１５が室内圧力の変化を検知した時に、風量設定操作部５ｄにより風量の設定が変更されていなければ、人が室内へ侵入したこととして室内あるいは室外へ報知し、風量設定操作部５ｄにより風量の設定が変更されていれば、人が室内へ出ていないこととして室内あるいは室外へ報知しない構成とする。
【００８１】
上記構成において、就寝時は扉を閉めた状態にしておき、換気装置３ｄを作動させておくと、ファンモータ６が回転することでルーバ４から室内の空気を吸い込み、ダクト２を通じて外部へ排出する。部屋には人の出入りがなく、扉は閉められた状態であるので室内は一定の負圧状態が保たれる。そして、室内圧力測定手段１４、例えば圧力センサにより、室内圧力を測定する。この状態において、徘徊する老人が扉を開けると開口部が増え、室内外の圧力差がなくなる。つまり、室内圧力変化量検知手段１５は室内圧力測定手段１４により測定している値を所定時間ごとに室内圧力を入力して、この前後の室内圧力差を演算する。従って、扉を開ける前後で室内圧力が変化するので室内圧力差を演算できることとなる。さらに、室内圧力変化検知手段１５は風量設定操作部５ｄで設定された風量設定を入力および記憶して所定時間ごとに風量設定が変更されたかどうかを判別する。そして室内圧力変化検知手段１５により所定時間ごとに室内圧力を入力して、この前後の室内圧力差を演算した結果、室内圧力差がなければ、室内圧力差が変化していないものとして、再び所定時間後に風量を入力し記憶して風量設定が変更されたかどうかを判別するという同様の動作を繰り返す。一方、室内圧力変化検知手段１５により所定時間ごとに室内圧力を入力して、この前後の室内圧力差を演算した結果、室内圧力差があれば、室内圧力に変化が生じたことを検知し、かつ室内圧力変化検知手段１５により風量設定が変更されていないことを検知すれば、人が室外へ出たこととして報知手段９、例えば、ブザー、あかりにより呼動、あるいは点灯させて、同居人に対して知らせることとなる。さらに、同居人が風量設定操作部５ｄを例えば「中」から「強」に変更した場合は、扉を開けなくとも、ファンモータ６の回転数が上昇することとなる。つまり風量が増加してさらに室内は負圧状態となる。室内圧力変化検知手段１５により室内圧力差があることを検知するものの、風量設定操作部５ｄが変更されていることを検知し報知手段９へは伝達しない、つまり人が室外へ出ていないこととして報知手段９、例えば、ブザー、あかりを呼動、あるいは点灯させないようにする。
【００８２】
次に、上図のように構成した換気装置３ｄの動作について図１０を参照しながら説明する。まず、起動してからステップ３１で待機時間「Ｔ１」経過後、つまり室内外の圧力差が一定になった後、ステップ３２で風量設定「Ｓ１」、ステップ５３で室内圧力「Ｐ１」を入力する。その後、ステップ３４で所定時間「Ｔ２」経過後、ステップ５４で室内圧力「Ｐ２」を入力する。そして、ステップ３７で風量設定「Ｓ１」と「Ｓ２」とを比較し風量設定が変更されたかどうかを判別する。風量設定が異なればステップ３８で風量設定「Ｓ１」を「Ｓ２」として現時点での風量設定を更新しステップ３４に戻り同じ動作を繰り返す。一方、風量設定が同じであればステップ５５で室内圧力「Ｐ１」と「Ｐ２」との差の絶対値｜Ｐ１−Ｐ２｜を演算して、結果が０であれば、つまり同じ室内圧力であれば、ステップ３４に戻り同じ動作を繰り返す。一方結果が０でなければ、つまり異なった室内圧力であれば、ステップ５６で室内圧力「Ｐ１」を「Ｐ２」として現時点での室内圧力を更新しステップ３４に戻り同じ動作を繰り返す。さらに、結果が０でなければ、つまり室内圧力変化を検知しかつ風量設定を変更していなければ人が室外へ出たこととしてステップ４１で警報音を呼動させる。
【００８３】
以上のように、建物内の各部屋に設置が義務付けられている換気扇に室内圧力を測定するセンサを設け、このセンサにより測定した室内圧力変化を利用して、室内圧力変化が扉を開閉したことによるものか、あるいは風量設定を変更したことによるものかを判別して、扉を開閉したことによるものであれば人が室外へ出たこととして報知し、風量設定を変更したことによるものであれば人が室外へ出ていないこととして報知しないこととする。
【００８４】
なお、本実施の形態６において、室内の空気を排気するファンモータとしたが、室外の空気を給気するファンモータでも同様の効果を有する。
【００８５】
また、本実施の形態６において、風量設定操作部は段階に切替えるものとしたが、無段階に切替えるものであっても良い。
【００８６】
（実施の形態６）
図１１に示すように、天井１にダクト２を介して設置された換気装置３ｅは、室内の条件あるいは長期間使用による経年変化により風量が変化するために、風量設定操作部５ｅの内部に、基準室内圧力差を設定する基準室内圧力差設定手段１６を備え、基準室内圧力差設定手段１６により基準室内圧力差を設定する。基準室内圧力差については例えば洋室８畳の場合、一般的に部屋の広さや気密度を考慮しても同一風量設定であれば風量変化に伴う室内圧力変化の範囲は室内圧力の±３％以下であるため、基準室内圧力差は室内圧力の６％に設定するとよい。そして設定した基準室内圧力差と室内圧力変化検知手段１５により演算した室内圧力差とを比較して演算した室内圧力差の方が大きければ、部屋の広さや気密度あるいは経年変化による劣化により室内圧力が変化したものではなく、人が室外へ出たこととして報知手段９、例えば警報音により報知し、演算した室内圧力差の方が小さければ部屋の広さや気密度あるいは経年変化による劣化により室内圧力が変化したものとして検知し、人が室外へ出ていないこととして報知しない構成とする。
【００８７】
なお、室内圧力変化検知手段１５により室内圧力変化を検知するまでの動作は実施の形態３と同様のため、詳細な説明は省略する。
【００８８】
次に、上図のように構成した換気装置３ｅの動作について図１１を参照しながら説明する。
【００８９】
まず、起動してからステップ３１で待機時間「Ｔ１」経過後、つまり室内圧力が一定になった後、ステップ５７で基準室内圧力差「Ｐｃ」を設定する。そしてステップ３２で風量設定「Ｐ１」、ステップ５３で室内圧力「Ｐ１」を入力する。その後、ステップ３４で所定時間「Ｔ２」経過後、ステップ３５で風量設定「Ｓ２」を入力し、ステップ５４で室内圧力「Ｐ２」を入力する。そして、ステップ３７で風量設定「Ｓ１」と「Ｓ２」とを比較し風量設定が変更されたかどうかを判別する。風量設定が異なればステップ３８で風量設定「Ｓ１」を「Ｓ２」として現時点での風量設定を更新しステップ３４に戻り同じ動作を繰り返す。風量設定が同じであればステップ５５で室内圧力「Ｐ１」と「Ｐ２」との室内圧力差の絶対値｜Ｐ１−Ｐ２｜を演算して、結果が０であれば、つまり同じ室内圧力であれば、ステップ５６で室内圧力「P１」を「Ｐ２」として現時点での室内圧力を更新しステップ３４に戻り同じ動作を繰り返す。結果が０でなければ、ステップ５８で基準室内圧力差「Pｃ」と室内圧力差の絶対値｜Ｐ１−P２｜とを比較して、室内圧力差の方が基準室内圧力差よりも小さければステップ３４に戻り同じ動作を繰り返す。一方、室内圧力差の方が基準室内圧力差よりも大きければステップ４１で警報音により報知する。
【００９０】
（実施の形態７）
図１３に示すように、外出時など不在時は人が室外へ出ることを検知する必要がないたために検出するかどうかを選択する検出モード選択部１７を設け、この検出モード選択部１７により検出モードを選択しなければ報知手段９に入力しないこととし、検出モードを選択すれば待機時間経過後、風量測定手段７により風量を測定する構成とする。
【００９１】
なお、風量変化検知手段８により風量変化を検知するまでの動作は実施の形態１と同様のため、詳細な説明は省略する。
【００９２】
次に、上図のように構成した換気装置３ｆの動作について図１４を参照しながら説明する。
【００９３】
まず、ステップ５９で検出モード選択部により検出モードを選択しなければ、換気装置３ｆが運転している状態が継続されるので、人が扉を開けたことによる風量の変化を検知しても報知しないこととなる。一方、ステップ５９で検出モードを選択すれば、ステップ３１の待機時間「Ｔ１」に移行する。ステップ３１からステップ４１までの報知する動作については実施の形態１と同様のため省略する。
【００９４】
以上のように、居住者が外出時する場合などは人が室外へ出ることを検知する必要がないため、扉を開閉したことにより外部の空気を室内へ吸引することで生じる風量、モータ回転数あるいは室内圧力の変化を検知し報知するかしないかを必要に応じて選択できることとなる。
【００９５】
（実施の形態８）
図１５に示すように、換気装置３ｇは人が室外へ出たことを検知する検知信号および風量、ファンモータ回転数、室内圧力を入力して外部に出力するための外部出力手段１８とを備えた構成とする。
【００９６】
上記構成において、人が室外へ出たことを検知する検知信号は、外部出力手段１８に入力され、図示はしないが変換回路によりＨまたはＬ信号に変換され、外部へ伝達できる信号に変換される。また、風量、ファンモータ回転数、室内圧力が外部出力手段１８に入力され、図示はしないが変換回路によりアナログ信号、例えば０から５Ｖの範囲に変換され、外部へ伝達できる信号に変換される。
【００９７】
以上のように、人が室外へ出たことを検知する検知信号、および風量、ファンモータ回転数、室内圧力を外部へ伝達できる信号に変換することとなる。
【産業上の利用可能性】
【００９８】
本発明の換気装置は、風量の変化および風量設定の切替えしたことを検知して、風量の変化が居住者よるものか、人が室外へ出たことによるものかを判別することができ、住宅あるいは店舗の防犯システムや室内にいる赤ちゃんの見守りなどの用途にも適用できる。
【図面の簡単な説明】
【００９９】
【図１】本発明の実施の形態１の換気装置の構成図
【図２】同実施の形態１の換気装置の動作を示すフローチャート
【図３】本発明の実施の形態２の換気装置の構成図
【図４】同実施の形態２の換気装置のプログラムのフローチャート
【図５】本発明の実施の形態３の換気装置の構成図
【図６】同実施の形態３の換気装置のプログラムのフローチャート
【図７】本発明の実施の形態４の換気装置の構成図
【図８】同実施の形態４の換気装置のプログラムのフローチャート
【図９】本発明の実施の形態５の換気装置の構成図
【図１０】同実施の形態５の換気装置のプログラムのフローチャート
【図１１】本発明の実施の形態６の換気装置の構成図
【図１２】同実施の形態６の換気装置のプログラムのフローチャート
【図１３】本発明の実施の形態７の換気装置の構成図
【図１４】同実施の形態７の換気装置のプログラムのフローチャート
【図１５】本発明の実施の形態８の換気装置の構成図
【図１６】従来の送受信装置の構成図
【符号の説明】
【０１００】
３      換気装置
３ａ    換気装置
３ｂ    換気装置
３ｃ    換気装置
３ｄ    換気装置
３ｅ    換気装置
３ｆ    換気装置
３ｇ    換気装置
５ａ    風量設定操作部
５ｂ    風量設定操作部
５ｃ    風量設定操作部
５ｄ    風量設定操作部
５ｅ    風量設定操作部
５ｆ    風量設定操作部
５ｇ    風量設定操作部
６      ファンモータ
７      風量測定手段
８      風量変化検知手段
９      報知手段
１０    基準風量差設定手段
１１    モータ回転数測定手段
１２    モータ回転数変化検知手段
１３    基準モータ回転数差設定手段
１４    室内圧力測定手段
１５    室内圧力変化検知手段
１６    基準室内圧力差設定手段
１７    検出モード選択部
１８    外部出力手段
【図１】
2005284510.tif 000003
【図２】
2005284510.tif 000004
【図３】
2005284510.tif 000005
【図４】
2005284510.tif 000006
【図５】
2005284510.tif 000007
【図６】
2005284510.tif 000008
【図７】
2005284510.tif 000009
【図８】
2005284510.tif 000010
【図９】
2005284510.tif 000011
【図１０】
2005284510.tif 000012
【図１１】
2005284510.tif 000013
【図１２】
2005284510.tif 000014
【図１３】
2005284510.tif 000015
【図１４】
2005284510.tif 000016
【図１５】
2005284510.tif 000017
【図１６】
2005284510.tif 000018